(57)【要約】【課題】配管内および仕切り壁等の貫通箇所においても、安価で、確実かつ容易に撤去ケーブルを確認できるケーブル撤去工法及び撤去工具を提供する。【解決手段】複数のケーブルが配設されている中で、撤去対象ケーブルを撤去する工法において、撤去対象ケーブル５ａの一端から、識別リング１を当該ケーブル５ａの外周に通し、当該識別リング１を支持して、当該撤去対象ケーブル５ａに沿ってこれを移動させ、ケーブルが配管８に挿通されている箇所では、当該配管８の一端から他端まで通線工具２を通し、当該通線工具２の先端に紐又はロープからなる識別ループ３を取付け、この識別ループ３を撤去対象ケーブル５ａの外周に巻きつけた当該通線工具を配管８内に挿通して当該配管８の一端から引張り、当該配管８を通った前記識別ループ３が巻き付けられたケーブル５を撤去対象ケーブル５ａと判断する。【選択図】      図８
2014096972.tif 000002
【特許請求の範囲】
【請求項１】
複数のケーブルが配設されている中で、撤去対象ケーブルを確認し、当該撤去対象ケーブルを所定の箇所で切断しながらケーブルを撤去する工法において、
撤去対象ケーブルの一端から、識別リング又はループ部材を当該ケーブルの外周に通し、当該識別リング又はループ部材を支持して、当該撤去対象ケーブルに沿ってこれを移動させ、
当該撤去対象ケーブルが挿通されていて作業員がアクセスできない配管箇所又は貫通箇所では、当該配管又は貫通部の一端から他端まで通線工具を通し、当該配管又は貫通部を通過した通線工具の先端に紐又はロープからなる識別ループを取付けて、当該識別ループを撤去対象ケーブルの外周に掛け、
当該通線工具を当該配管又は貫通箇所の一端から引っ張り、当該配管又は貫通箇所を通った、前記識別ループが掛けられたケーブルを撤去対象ケーブルと判断することを特徴とする、ケーブルの撤去工法。
【請求項２】
前記通線工具及び当該通線工具の先端に取り付けて、前記識別ループを構成することを特徴とした、請求項１に記載のケーブル撤去工法に使用するケーブル撤去工具。
【請求項３】
前記通線工具は、一定の剛性及び可とう性を有する棒状又はワイヤ状のものであることを特徴とした、請求項２に記載のケーブル撤去工具。
【請求項４】
前記通線工具の先端に取り付ける識別ループは、一定長のロープ又は紐の両端にフックを設け、予め通線工具の先端に設けたループ状の輪に前記各フックを掛けることにより取り付けられることを特徴とした、請求項２又は３に記載のケーブル撤去工具。
【発明の詳細な説明】
【技術分野】
【０００１】
この発明は、共同溝内や建屋内の長距離間の高圧ケーブル等のケーブルを撤去する工法及びこれに使用する撤去工具に関するものである。
【背景技術】
【０００２】
従来、高圧等のケーブル５０は、図１１に示すように、屋外の共同溝や建屋内の天井や壁等に沿って設けたケーブルラック５１に載置されたり、図１２に示すように、配管５２内を挿通したり、隔壁５３を貫通して配線されている。前記ケーブルラック５１に載置されたケーブル５０は、図１３に示すように、複数のケーブル５０が山のように積み上がった状態であり、途中で複数のケーブル５０が絡み合っている場合もある。これは、配管５２内や隔壁５３の貫通箇所でも同様である。
【０００３】
この撤去工法では、長距離にわたって配設されたケーブルの一端から他端に向けて、適宜間隔で当該ケーブルを切断しながら撤去していく。しかしながら、これらの配線された多数のケーブルの中には、高圧電気が通っているものもあり、誤ってこれらの活線を切断してしまうと、建屋内が停電となり、大きな支障をきたす。また、切断した活線に作業者が触れると感電事故の恐れもある。従って、まず、撤去の前に、長距離にわたって配設された多数のケーブルの中から、目的のケーブルがどのケーブルかを確認する作業が極めて重要な作業となる。
【０００４】
これらの撤去ケーブルの確認方法としては、まず押し引き確認がある。これは、一人の作業員が撤去するケーブルの一端を引張り、当該一端から離れたケーブルの他端においてもう一人の作業員が、これによって動くケーブルを判別して、動くケーブルを撤去対象ケーブルとして確認する。
【０００５】
この場合、他端の作業員が動いたケーブルを撤去対象ケーブルと判断しているが、途中で多数のケーブルが絡まっている場合は、別のケーブルが動いたかも知れず、必ずしも動いたケーブルが一端で引っ張ったケーブル、即ち、撤去対象ケーブルかどうか分からない。
【０００６】
また、マーキング確認方法がある。これは、撤去するケーブルの一端から延々と印を付けていくもので、ケーブルが絡まった箇所では、これらをほぐしてマーキングするため手間がかかり、また、配管内や隔壁の貫通箇所には使用できない。
【０００７】
また、検電確認方法がある。これは、多数のケーブルの中で、撤去するケーブルは電気を流していないので、検電して電気が通っていないケーブルを確認する。しかし、この検電では、該当ケーブルに電気が通っていないことが分かるだけあり、複数のケーブルに電気が通っていない場合は、配線の途中で、多数のケーブルのうち撤去するケーブルがどれか分からなくなるおそれがある。さらに、高圧ケーブルやシールドしているケーブルでは検電確認ができないケースがある。
【０００８】
また、ラインチェッカーによる確認方法がある。これは配線探査器を用いて該当ケーブルを確認する方法であり、確実に確認できるが、探査器が高価であり、入手しにくい。また、探査範囲が概ね１ｋｍまでという制限がある。さらに、ケーブル撤去では、一定距離ごとにて撤去ケーブルを切断していくが、動作原理からケーブル撤去中には使えない。
【０００９】
そこで、特許文献１に示す方法が開発された。これは、トレイ内等に布設されたケーブルの取替え工事において、既存の識別部材によって撤去対象であることを特定した取替対象ケーブルの一端からリング状の識別部材を通し、リング状識別部材を取替対象ケーブルに沿って移動させることで、取替対象ケーブルであることを撤去作業中、常に目視で確認しながら作業が行えるものである。
【００１０】
【特許文献１】特開２００１−２５１７１８号公報
【発明の開示】
【発明が解決しようとする課題】
【００１１】
しかしながら、前記特許文献１のものは、撤去するケーブルが仕切り壁の貫通管部を通っている場合は、市販のケーブル探査器を用いて、壁の前後で撤去ケーブルを確認するものである。したがって、ケーブル探査器を使用するため、作業コストが増大してしまう欠点を有する。
【００１２】
この発明は、この従来技術を踏まえて、狭くて作業員がアクセスできない配管内および仕切り壁等の貫通箇所においても、安価で、確実かつ容易に撤去対象ケーブルを確認できるケーブル撤去工法及び撤去工具を提供するものである。
【課題を解決するための手段】
【００１３】
請求項１の発明は、複数のケーブルが配設されている中で、撤去対象ケーブルを確認し、当該撤去対象ケーブルを所定の箇所で切断しながらケーブルを撤去する工法において、撤去対象ケーブルの一端から、識別リング又はループ部材を当該ケーブルの外周に通し、当該識別リング又はループ部材を支持して、当該撤去対象ケーブルに沿ってこれを移動させ、当該撤去対象ケーブルが挿通されていて作業員がアクセスできない配管箇所又は貫通箇所では、当該配管又は貫通部の一端から他端まで通線工具を通し、当該配管又は貫通部を通過した当該通線工具の先端に紐又はロープからなる識別ループを取付けて、当該識別ループを撤去対象ケーブルの外周に掛け、当該通線工具を当該配管又は貫通箇所の一端から引っ張り、当該配管又は貫通箇所を通った、前記識別ループが掛けられたケーブルを撤去対象ケーブルと判断する、ケーブルの撤去工法とした。
【００１４】
また、請求項２の発明は、前記通線工具及び当該通線工具の先端に取り付けて、前記識別ループを構成する、請求項１に記載のケーブル撤去工法に使用するケーブル撤去工具とした。
【００１５】
また、請求項３の発明は、前記通線工具は、一定の剛性及び可とう性を有する棒状又はワイヤ状のものである、請求項２に記載のケーブル撤去工具とした。
【００１６】
また、請求項４の発明は、前記通線工具の先端に取り付ける識別ループは、一定長のロープ又は紐の両端にフックを設け、予め通線工具の先端に設けたループ状の輪に前記各フックを掛けることにより取り付けられる、請求項２又は３に記載のケーブル撤去工具とした。
【発明の効果】
【００１７】
請求項１〜４の各発明によれば、撤去対象ケーブルがケーブルラックに載置された多数のケーブルの中にあっても、識別リング又はループ部材を前記ケーブルの長手方向に沿って移動させると、撤去対象ケーブルは識別リング又はループ部材に引っ張られて外側に引き出され、目視で確認しやすい。また、この様に撤去対象ケーブルが引き出されているため、当該撤去対象ケーブルを適宜の間隔で切断する際、容易に切断できる。
【００１８】
また、作業員がアクセスできない配管又は貫通箇所内を撤去対象ケーブルが他の複数のケーブルと共に挿通している場合でも、高価な機器を用いず、容易確実に配管又は貫通箇所の一端に挿通された撤去対象ケーブルを、当該配管又は貫通箇所の他端に導出された複数のケーブルの中から目視で確認できる。従って、撤去対象ケーブルの確認作業を容易かつ確実に行うことが出来、撤去作業を安全に行うことが出来る。
【００１９】
また、特に、請求項４の発明では、通線工具の先端に取り付ける識別ループのロープ又は紐の両端のフックが、通線工具の先端に設けたループ状の輪に係止自在であるため、配管又は貫通部の一端から他端に通線工具を通した後、撤去対象ケーブルに識別ループを掛けやすく、作業を迅速に行える。
【図面の簡単な説明】
【００２０】
【図１】この発明の実施の形態例１のケーブルラック上の複数のケーブルの中から作業者が撤去対象ケーブルを確認している状態を示す斜視図である。
【図２】この発明の実施の形態例１に使用する識別リングの正面図である。
【図３】この発明の実施の形態例１に使用する識別リングを撤去対象ケーブルの一端に掛けた状態を示す斜視図である。
【図４】この発明の実施の形態例１に使用する通線工具及び識別用ループの側面図である。
【図５】この発明の実施の形態例１に使用する通線工具に識別用ループを掛けた状態を示す斜視図である。
【図６】この発明の実施の形態例１の配管内に挿通された多数のケーブルを示す縦断面図である。
【図７】この発明の実施の形態例１の多数のケーブルが挿通された配管内に通線工具を一端から挿入した状態を示す縦断面図である。
【図８】この発明の実施の形態例１の多数のケーブルが挿通された配管の一端から他端まで通線工具を通し、通線工具の先端に識別用ループを取り付けた状態を示す拡大縦断面図である。
【図９】この発明の実施の形態例１の多数のケーブルが挿通された配管内に通した通線工具の先端の識別ループを、配管の他端で撤去対象ケーブルに巻き付けた状態を示す縦断面図である。
【図１０】この発明の実施の形態例１の多数のケーブルが挿通された配管内を撤去対象ケーブルに巻き付けた識別ループを有する通線工具を引き戻して、前記識別ループを配管の一端まで引き出した状態を示す縦断面図である。
【図１１】この発明の方法を適用するケーブルが載置されているケーブルラックの配置状態を示す断面図である。
【図１２】この発明の方法を適用するケーブルが配管内を配管内又は仕切り壁を貫通している状態を示す図で、（Ａ）図はケーブルが配管内を挿通している状態の側面図。（Ｂ）図はケーブルが仕切り壁を貫通している状態を示す縦断面図である。
【図１３】この発明の方法を適用するケーブルが複数の他のケーブルとともにケーブルラックに載置されている状態を示す斜視図である。
【発明を実施するための形態】
【００２１】
（実施の形態例１）
以下、この発明の実施の形態例１を図に基づいて説明する。
【００２２】
この発明の方法に使用する識別リング１は、図２に示すように、樹脂や繊維や金属製のリングであり、一本のケーブルの太さより、十分大きい内径を有する。この識別リング１は、図３に示すように、ケーブルがケーブルラックに載置されていたり、外周に空間を有するケーブルの一端外周に通して使用する。この識別リング１は形状が固定されているものに限らず、ロープや紐等でループを形成しているループ部材でも良い。
【００２３】
また、図４は、狭くて作業員がアクセスできない配管内や仕切り壁等の貫通箇所に挿入されているケーブルに使用する通線工具２と識別ループ３を示す。この通線工具２は剛性及び可とう性を有するワイヤ状のもので、その先端の貫通孔にロープ又は紐を通してループ状の輪４を設けたものである。また、前記識別ループ３は、一定長のロープ又は紐３ａの両側にサルカン３ｂを介してフック３ｃを設けたものである。これらの２つのフック３ｃを前記通線工具２の輪４に引っ掛けると識別ループ３となる。
【００２４】
次にこれらの工具を用いてケーブル撤去方法を説明するが、初めに、撤去対象ケーブルを含む複数のケーブルが露出して設置されている場合を説明する。その例として、図１に示すように、複数のケーブル５が、ケーブルラック６に載置されている場合は、図３に示すように、撤去対象ケーブル５ａの一端から前記識別リング１を掛け、この識別リング１を作業者７が手に持って、ケーブル５の布設方向に移動する。
【００２５】
その際、複数のケーブル５が絡み合って載置されていても、作業者７が識別リング１を引っ張りながら移動すると、撤去対象ケーブル５ａは複数のケーブル５の中から外側に引っ張り出される。この様にして、撤去対象ケーブル５ａは作業者７の目視により、容易かつ確実に確認できる。
【００２６】
また、この様に確認した撤去対象ケーブル５ａを、適宜の間隔で作業者７が切断し、撤去していく。
【００２７】
また、図６に示すように、撤去対象ケーブル５ａを含む複数のケーブル５が配管８の中に挿通されている箇所では、前記識別リング１は使用できない。
【００２８】
そこで、通線工具２及び識別ループ３を使用する。前記通線工具２を、図７に示すように、前記配管８の一端から配管８内に通し、図８に示すように、通線工具２の先端を配管８の他端まで出す。そこで、前記識別ループ３のロープ又は紐３ａの両側のフック３ｃを前記通線工具２の先端の輪４に夫々かけ、ループを作る。
【００２９】
そして、図９に示すように、撤去対象ケーブル５ａの外周に識別ループ３を引っ掛け、通線工具２を配管８の他端から引っ張る。前記撤去対象ケーブル５ａに識別ループ３を掛けるのは、識別ループ３の一方のフック３ｃを通線工具２の先端の輪４から外した状態で掛けても良く、また、上述の様に、識別ループ３の両端の双方のフック３ｃを前記輪４に掛けてループにした状態で撤去対象ケーブル５ａに掛けても良い。
【００３０】
そして、図１０に示すように、前記識別ループ３が配管８の一端から出ると、当該ループ３が巻き付いているケーブル５が撤去対象ケーブル５ａであることが分かる。従って、その撤去対象ケーブル５ａを配管８の一端脇で切断し、配管８内から当該撤去対象ケーブル５ａを抜き取る。
【００３１】
図７〜図１０では、配管８について説明したが、これは、図１２の（Ｂ）図で示す仕切り壁の貫通箇所においても同様の作業となる。また、前記実施の形態例１では、識別ループ３を、ロープ又は紐３ａの両端にサルカン３ｂを介してフック３ｃを設け、これらのフック３ｃを通線工具２の先端の輪４に掛けているが、これは必ずしも必要ではなく、通線工具２の先端にロープ又は紐をループ状に結んで取り付けても良い。
【００３２】
また、上記実施の形態例１では、通線工具２を、図７に示すように、配管８の後端側（図７の右側）から挿入し、前端側（図７の左側）に突出した通線工具２の先端に識別ループ３を取り付け、当該通線工具２を配管８の後端側に引き戻しているが、図７の配管８の前端側から通線工具２を配管８内に通し、通線工具２の先端が配管８の後端側に出た後、配管８の前端側にある通線工具２の後端に前記識別ループ３を取り付け、通線工具２の先端を引っ張って、前記識別ループ３を配管８の後端側に引き出しても良い。
【００３３】
また、前記実施の形態例１では、ケーブルラック６に載置された多数のケーブル５の中の撤去対象ケーブル５ａに識別リング１を取り付け、当該識別リング１を作業者が手で持ちながら、ケーブル５の布設方向に移動しているが、これに代えて、適宜の移動物体に前記識別リング１を支持させ、ケーブル５に沿って移動させても良い。
【００３４】
この様にして、識別リング１又は通線工具２及び識別ループ３を使用して撤去対象ケーブル５ａを作業者が目視して確認しながら、ケーブルを撤去する。この場合、電源や計測機器等が不要であり、作業者の手作業ではあるが極めて安全かつ確実に撤去対象ケーブルの確認をしながらケーブル撤去が可能となる。
【符号の説明】
【００３５】
１      識別リング              ２      通線工具
３      識別ループ              ３ａ    ロープ又は紐
３ｂ    サルカン                ３ｃ    フック
４      輪                      ５      ケーブル
５ａ    撤去対象ケーブル        ６      ケーブルラック
７      作業者                  ８      配管
５０    ケーブル                ５１    ケーブルラック
５２    配管                    ５３    隔壁                                                
【図１】
2014096972.tif 000003
【図２】
2014096972.tif 000004
【図３】
2014096972.tif 000005
【図４】
2014096972.tif 000006
【図５】
2014096972.tif 000007
【図６】
2014096972.tif 000008
【図７】
2014096972.tif 000009
【図８】
2014096972.tif 000010
【図９】
2014096972.tif 000011
【図１０】
2014096972.tif 000012
【図１１】
2014096972.tif 000013
【図１２】
2014096972.tif 000014
【図１３】
2014096972.tif 000015